(57)【要約】【課題】移動局のユーザのニーズに合った情報を提供することである。【解決手段】ＮＷサーバ１０は、受信部１１と抽出部１４と通知部１５とを有する。受信部１１は、複数の移動局から基地局を介して送信される送信情報を、基地局ＩＤと共に受信する。抽出部１４は、送信情報と基地局ＩＤとに基づき、複数の移動局において使用頻度の高いＫＷを基地局毎に抽出する。通知部１５は、抽出部１４により抽出されたＫＷを、対応する基地局ＩＤと共に、ＭＢＭＳサーバ２０に通知する。ＭＢＭＳサーバ２０は、受信部と配信部とを有する。ＭＢＭＳサーバ２０の受信部は、通知部１５により通知されたＫＷを、対応する基地局ＩＤと共に、ＮＷサーバ１０から受信する。配信部は、ＫＷに応じた配信情報を、上記基地局ＩＤを有する基地局を介して、複数の移動局に配信する。【選択図】図１
2012165176.tif 000002
【特許請求の範囲】
【請求項１】
複数の移動局から基地局を介して送信される送信情報を、前記基地局の識別情報と共に受信する受信部と、
前記送信情報と前記識別情報とに基づき、前記複数の移動局において使用頻度の高いキーワードを前記基地局毎に抽出する抽出部と、
前記抽出部により抽出された前記キーワードを、対応する前記基地局の識別情報と共に、第２のサーバ装置に通知する通知部と
を有する第１のサーバ装置と、
前記通知部により通知されたキーワードを、対応する前記基地局の識別情報と共に、前記第１のサーバ装置から受信する受信部と、
前記キーワードに応じた配信情報を、前記識別情報を有する基地局を介して、前記複数の移動局に配信する配信部と
を有する第２のサーバ装置と、
前記第２のサーバ装置から配信された前記配信情報を、前記基地局を介して受信する通信部を有する移動局と
を有することを特徴とする無線通信システム。
【請求項２】
前記送信情報は、検索ワード、Ｗｅｂサイト、メール、通話情報の内、少なくとも１つに含まれる情報であることを特徴とする請求項１に記載の無線通信システム。
【請求項３】
前記第２のサーバ装置の配信部は、配信時または配信場所によって異なる配信情報を配信することを特徴とする請求項１に記載の無線通信システム。
【請求項４】
前記第１のサーバ装置は、
移動局宛に情報を送信すると共に、複数の移動局が同一の情報の送信を要求する場合、前記同一の情報の送信を停止する送信部を更に有し、
前記第２のサーバ装置の配信部は、前記同一の情報を前記複数の移動局宛に配信することを特徴とする請求項１に記載の無線通信システム。
【請求項５】
請求項１に記載の無線通信システムにおける前記送信情報を、基地局を介して、前記第１のサーバ装置に送信すると共に、前記第２のサーバ装置から配信された前記配信情報を、前記基地局を介して受信する通信部を有することを特徴とする移動局。
【請求項６】
第１のサーバ装置が、
複数の移動局から基地局を介して送信される送信情報を、前記基地局の識別情報と共に受信し、
前記送信情報と前記識別情報とに基づき、前記複数の移動局において使用頻度の高いキーワードを前記基地局毎に抽出し、
抽出された前記キーワードを、対応する前記基地局の識別情報と共に、第２のサーバ装置に通知し、
第２のサーバ装置が、
通知されたキーワードを、対応する前記基地局の識別情報と共に、前記第１のサーバ装置から受信し、
前記キーワードに応じた配信情報を、前記識別情報を有する基地局を介して、前記複数の移動局に配信し、
移動局が、
前記第２のサーバ装置から配信された前記配信情報を、前記基地局を介して受信する
ことを特徴とする無線通信方法。
【発明の詳細な説明】
【技術分野】
【０００１】
本発明は、無線通信システム、移動局、及び無線通信方法に関する。
【背景技術】
【０００２】
従来、移動局と基地局との間における無線通信において、ＭＢＭＳ（Multimedia  Broadcast  and  Multicast  Service）と呼ばれる技術が存在する。ＭＢＭＳとは、動画や音楽のマルチメディアコンテンツを、携帯電話網を使って効率よく配信するための技術である。このＭＢＭＳの特徴の１つとして、マルチキャスト通信がある。マルチキャスト通信とは、基地局が、同一周波数帯を用いて複数の移動局に対して同一のデータを送信する技術であり、かかる技術は、主に動画や音楽の配信サービスへの利用が検討されている。マルチキャスト通信は、同一周波数帯を使用することで、複数の移動局に対し一括して情報を配信することができるため、一対一による通信（ユニキャスト通信）と比較して、リソースを有効活用することができるというメリットがある。
【先行技術文献】
【特許文献】
【０００３】
【特許文献１】特表２００５−５０２１３５号公報
【特許文献２】特開平１０−２５７１００号公報
【特許文献３】特開２００８−２５２３４７号公報
【発明の概要】
【発明が解決しようとする課題】
【０００４】
しかしながら、マルチキャスト通信により配信される情報は、配信を行う側に依存するため、必ずしも、移動局のユーザのニーズに合った情報が配信されるとは限らない。すなわち、配信を行う事業者には、ユーザの置かれた環境や嗜好に合った情報の提供が求められるが、配信される情報が各移動局ユーザに適合した情報であるか否かについて、事業者側から常に正確に判断することは困難である。特に、移動局のユーザの様な、日時や場所によって、求められる情報が変化するユーザにとって、上述の問題点は顕著である。
【０００５】
開示の技術は、上記に鑑みてなされたものであって、移動局のユーザのニーズに合った情報を提供することのできる無線通信システム、移動局、及び無線通信方法を提供することを目的とする。
【課題を解決するための手段】
【０００６】
上述した課題を解決し、目的を達成するために、本願の開示する無線通信システムは、一つの態様において、第１のサーバ装置と第２のサーバ装置と移動局とを有する。前記第１のサーバ装置は、受信部と抽出部と通知部とを有する。前記受信部は、複数の移動局から基地局を介して送信される送信情報を、前記基地局の識別情報と共に受信する。前記抽出部は、前記送信情報と前記識別情報とに基づき、前記複数の移動局において使用頻度の高いキーワードを前記基地局毎に抽出する。前記通信部は、前記抽出部により抽出された前記キーワードを、対応する前記基地局の識別情報と共に、前記第２のサーバ装置に通知する。前記第２のサーバ装置は、受信部と配信部とを有する。前記受信部は、前記通知部により通知されたキーワードを、対応する前記基地局の識別情報と共に、前記第１のサーバ装置から受信する。前記配信部は、前記キーワードに応じた配信情報を、前記識別情報を有する基地局を介して、前記複数の移動局に配信する。移動局は、前記第２のサーバ装置から配信された前記配信情報を、前記基地局を介して受信する受信部を有する。
【発明の効果】
【０００７】
本願の開示する無線通信システムの一つの態様によれば、移動局のユーザのニーズに合った情報を提供することができる。
【図面の簡単な説明】
【０００８】
【図１】図１は、ＮＷサーバの機能的構成を示す図である。
【図２】図２は、ＮＷサーバの保持するＫＷリストの一例を示す図である。
【図３】図３は、ＮＷサーバの保持するＫＷテーブルの一例を示す図である。
【図４】図４は、ＭＢＭＳサーバ及び移動局の機能的構成を示す図である。
【図５Ａ】図５Ａは、ＭＢＭＳサーバの保持する配信情報テーブルの一例を示す図である。
【図５Ｂ】図５Ｂは、ＭＢＭＳサーバの保持する配信情報テーブルの更に別の例を示す図である。
【図６】図６は、ＭＢＭＳサーバの配信する配信情報の一例を示す図である。
【図７】図７は、ＮＷサーバのハードウェア構成を示す図である。
【図８】図８は、ＭＢＭＳサーバのハードウェア構成を示す図である。
【図９】図９は、移動局のハードウェア構成を示す図である。
【図１０】図１０は、無線通信システムの動作を説明するための図である。
【図１１Ａ】図１１Ａは、無線通信システムにおいて検索が行われてから配信される情報が決定される迄の過程を説明するための図である。
【図１１Ｂ】図１１Ｂは、無線通信システムにおいて決定された情報が配信される迄の過程を説明するための図である。
【図１２Ａ】図１２Ａは、無線通信システムにおいて配信される情報が検索される過程を説明するための図である。
【図１２Ｂ】図１２Ｂは、無線通信システムにおいて検索された情報が配信される過程を説明するための図である。
【発明を実施するための形態】
【０００９】
以下に、本願の開示する無線通信システム、移動局、及び無線通信方法の実施例を、図面を参照しながら詳細に説明する。なお、以下の実施例により本願の開示する無線通信システム、移動局、及び無線通信方法が限定されるものではない。
【００１０】
まず、本願の開示する一実施例に係るＮＷサーバの構成を説明する。図１は、本実施例に係るＮＷサーバ１０の機能的構成を示す図である。図１に示すように、ＮＷサーバ１０は、受信部１１と、キーワード（以下、「ＫＷ」と記す。）リスト保持部１２と、ＫＷテーブル保持部１３と、抽出部１４と、通知部１５と、検索部１６と、検索ＤＢ（Data  Base）１７と、送信部１８とを有する。これら各構成部分は、一方向又は双方向に、信号やデータの入出力が可能なように接続されている。ＮＷサーバ１０は、受信部１１と送信部１８とにより、移動局３０との間で各種情報の送受信が可能である。
【００１１】
受信部１１は、複数の移動局から基地局を介して送信される送信情報を、基地局ＩＤと共に受信する。送信情報は、例えば、移動局が検索に用いたワード（以下、「検索ワード」と記す。）、Ｗｅｂサイト、メール、通話情報である。また、受信部１１は、複数の移動局から基地局を介して送信される検索ワードを、移動局ＩＤと共に受信する。
【００１２】
ＫＷリスト保持部１２は、ＫＷリスト１２ａを有する。図２は、ＮＷサーバの保持するＫＷリストの一例を示す図である。このＫＷリスト１２ａは、ＮＷサーバ１０が、受信した送信情報の中からＫＷを抽出する際に参照するリストである。図２に示すように、ＫＷリスト１２ａには、抽出部１４による抽出候補となる複数のキーワードが、基地局ＩＤ毎に格納されている。例えば、基地局ＩＤ「Ｂ１」宛の配信情報を決定するためのＫＷとして、“ケーキ（130）”、“ギフト（240）”、“旅行（200）”等が格納されている。また、基地局ＩＤ「Ｂ２」宛の配信情報を決定するためのＫＷとしては、“カレー（150）”、“テレビ（67）”、“携帯電話（98）”が格納されている。ＮＷサーバ１０は、ＭＢＭＳサーバ２０にＫＷを通知する際、このＫＷリスト１２ａに予め格納されているデータを参照することで、送信情報に含まれる多数のワードの中から、ユーザ向け情報の配信に有益なＫＷを絞り込む。すなわち、抽出部１４は、送信情報に含まれるワードと、ＫＷリスト１２ａに掲載されたＫＷとを照合し、一致するワード（送信情報のワードの内、ＫＷリスト１２ａに掲載されているワード）のみをＫＷとして抽出する。なお、図２では、ＫＷリスト１２ａは、基地局ＩＤ毎に異なるＫＷを保持するものとしたが、同じＫＷが保持されるものとしてもよい。
【００１３】
上述したように、ＮＷサーバ１０は、ＫＷリスト１２ａを保持することで、送信情報の中から無条件で使用頻度の高いＫＷを抽出する場合と比較して、各基地局に属するユーザの環境や嗜好に適した配信情報の決定に有益なＫＷだけを抽出することができる。換言すれば、ＫＷリスト１２ａが、ＫＷ抽出のフィルタリング機能を果たすことで、日常多用されるが配信情報の決定に不要な言葉（例えば、“お疲れ様”、“以上”）を、ＫＷの候補の中から除去することができる。また、ＭＢＭＳサーバ２０は、ＫＷに応じた数の配信情報を格納するが、ＫＷリスト１２ａがＫＷのノイズを除去するので、配信情報の格納に必要なデータ容量が少なくて済むと共に、ＫＷを基にした配信情報の決定も迅速となる。
【００１４】
ＫＷテーブル保持部１３は、ＫＷテーブル１３ａを有する。図３は、ＮＷサーバの保持するＫＷテーブルの一例を示す図である。ＫＷテーブル１３ａには、使用頻度の高いＫＷが基地局ＩＤ毎に格納される。ＫＷは、使用頻度の高い順に随時更新可能に格納される。例えば、図３では、基地局ＩＤが「Ｂ１」の基地局について、最も使用頻度の高いＫＷを表す「第１キーワード」として“ギフト”が、使用頻度が２番目に高いＫＷを表す「第２キーワード」として“旅行”が格納されている。同様に、基地局ＩＤが「Ｂ２」の基地局については、最も使用頻度の高いＫＷを表す「第１キーワード」として“カレー”が、使用頻度が２番目に高いＫＷを表す「第２キーワード」として“携帯電話”が格納されている。これにより、ＮＷサーバ１０は、送信情報の受信時点において、基地局Ｂ１を経由した送信情報の中には、“ギフト”というＫＷが最も多く含まれ、“旅行”というＫＷが次に多く含まれているとの判定が可能となる。
【００１５】
抽出部１４は、受信部１１の受信した送信情報と基地局ＩＤとに基づき、複数の移動局において使用頻度の高いＫＷを基地局毎に抽出する。抽出部１４は、まず、送信情報から複数のワードを抽出し、複数のワードの中から通知すべきＫＷを決定する。送信情報からワードを抽出する方法としては、検索ワードを直接用いる方法がある。その他の方法として、抽出部１４は、移動局から送信を要求されたＵＲＬ（Uniform  Resource  Locator）のＷｅｂサイトからワードを抽出するものとしてもよい。また、抽出部１４は、移動局の送受信するメールからワードを抽出してもよい。更に、抽出部１４は、移動局の通話情報からワードを抽出してもよい。抽出されたワードは、ＫＷリスト１２ａによる絞込みが行われた後、使用頻度の高い順に、通知されるＫＷの候補としてＫＷテーブル１３ａに格納される。ＫＷは、基地局ＩＤ毎に格納される。格納されるＫＷ及びその順位は、使用頻度の増減に伴い、随時変更される。
【００１６】
抽出部１４は、ＫＷリスト１２ａ上に存在するＫＷの使用回数を基地局ＩＤ毎に所定時間カウントする。抽出部１４は、所定時間における使用回数（使用頻度）が多いＫＷから順に、第１ＫＷ、第２ＫＷ、第３ＫＷとして、ＫＷテーブル１３ａに更新可能に格納する。抽出部１４は、ＫＷテーブル１３ａを参照して、抽出時点で第１ＫＷに格納されているＫＷを、対応する基地局ＩＤのＫＷとして抽出する。例えば、ＫＷテーブル１３ａにおけるデータ格納状態が図３に示す状態にあるとき、抽出されるＫＷは、基地局Ｂ１については“ギフト”、基地局Ｂ２については“カレー”となる。
【００１７】
なお、ＫＷテーブル１３ａに保持されるＫＷの数は、１つの基地局ＩＤにつき複数であってもよいのは勿論であるが、抽出部１４の抽出するＫＷについても、１つに限らず複数であってもよい。例えば、抽出部１４は、使用頻度の高い方から上位３個のＫＷを抽出し、配信部２３は、これら３個のＫＷから配信情報を決定するようにしてもよい。この場合、ＭＢＭＳサーバ２０には、１つの基地局につき３個のＫＷが通知されることになるが、ＭＢＭＳサーバ２０は、これらのＫＷの組合せから配信情報を決定することで、よりユーザにマッチした配信情報の提供が可能となる。また、配信部２３は、複数のＫＷから１つの配信情報を決定するのとは反対に、１つのＫＷを基に複数の配信情報を決定してもよい。更に、抽出部１４は、使用頻度が上位３位までのＫＷを抽出し、配信部２３は、これらのＫＷに対応する配信情報を、所定の時間間隔で順次配信するものとしてもよい。これにより、使用頻度が最も高いＫＷ以外のＫＷに、ユーザにとって重要な配信情報が対応付けられている場合にも、ＭＢＭＳサーバ２０は、その配信情報を確実に配信することができる。
【００１８】
通知部１５は、抽出部１４により抽出されたＫＷを、対応する基地局ＩＤと共に、ＭＢＭＳサーバ２０に通知する。
【００１９】
検索部１６は、移動局から送信された検索ワードを基に、当該ワードを含むＷｅｂサイト等の情報を検索ＤＢ１７から抽出し、その情報を検索結果として送信部１８に出力する。送信部１８は、検索部１６から入力された検索結果を、検索を要求した移動局宛に送信する。
【００２０】
次に、本願の開示する一実施例に係るＮＷサーバの構成を説明する。図４は、本実施例に係るＭＢＭＳサーバ２０及び移動局３０の機能的構成を示す図である。図４に示すように、ＭＢＭＳサーバ２０は、受信部２１と、配信情報テーブル保持部２２と、配信部２３と、検索部２４と、検索ＤＢ２５とを有する。これら各構成部分は、一方向又は双方向に、信号やデータの入出力が可能なように接続されている。
【００２１】
受信部２１は、ＮＷサーバ１０の通知部１５の通知したＫＷを、対応する基地局ＩＤと共に、ＮＷサーバ１０から受信する。
【００２２】
配信情報テーブル保持部２２は、配信情報テーブル２２ａ、２２ｂを有する。図５Ａ及び図５Ｂは、ＭＢＭＳサーバの保持する配信情報テーブル２２ａ、２２ｂにおけるデータ格納例を示す図である。配信情報テーブルには、複数の移動局に向けて配信される情報が、配信情報として、ＫＷに対応付けて予め格納されている。配信情報は、ＫＷ毎に１対１に対応付けられてもよいし、１つのＫＷに対して複数の配信情報が格納されていてもよい。図５Ａは、ＭＢＭＳサーバの保持する配信情報テーブルの一例を示す図である。図５Ａに示す配信情報テーブル２２ａには、１つのＫＷ「ギフト」に対して、配信時に応じて異なる複数の配信情報が格納されている。すなわち、配信情報テーブル２２ａは、配信時が“夏ごろ”の場合には“お中元関連”の情報が配信され、配信時が“冬ごろ”の場合には“お歳暮関連”やクリスマスプレゼントの情報が配信されるようになっている。同じ「ギフト」というＫＷが通知された場合でも、季節によってユーザが所望する情報は異なるが、上述の配信情報テーブル２２ａにより、季節に応じた種類のギフト情報が移動局に配信されることになる。その結果、移動局のユーザのニーズに合った情報の提供が可能となる。
【００２３】
図５Ｂは、ＭＢＭＳサーバの保持する配信情報テーブルの更に別の例を示す図である。図５Ｂに示す配信情報テーブル２２ｂには、１つのＫＷ「カレー」に対して、配信場所に応じて異なる複数の配信情報が格納されている。すなわち、配信情報テーブル２２ｂは、配信場所が“キャンプ場付近”の場合には“レシピ”の情報が配信され、配信場所が“市街地”や観光地の場合には“周辺の店”の情報が配信されるようになっている。すなわち、同じ「カレー」というＫＷが通知された場合でも、配信情報の配信される場所によって配信情報が異なる。例えば、“キャンプ場付近”の基地局に対応するＫＷとして「カレー」が抽出された場合には、当該基地局付近のユーザは、カレーの作り方を知りたいことが推測されるため、“レシピ”の情報が配信される。一方、“市街地”に設置されている基地局に対応するＫＷとして「カレー」が抽出された場合には、当該基地局付近のユーザは、近くにある良いカレーショップを探している可能性があるため、“周辺の店”の情報が配信される。これにより、移動局のユーザは、現在地に応じた所望の情報を得られることになり、ＭＢＭＳサーバ２０は、ユーザの需要に沿った適切な情報の提供が可能となる。
【００２４】
配信部２３は、ＫＷに応じた配信情報を、当該ＫＷに対応する基地局を介して、複数の移動局に配信する。配信部２３は、通知されたＫＷを基に、当該ＫＷに対応する基地局を宛先とする配信情報を決定する。通知されるＫＷは、ＮＷサーバ１０への送信情報の変更に伴い随時更新されるため、ＫＷの更新を契機として、配信情報も更新される。配信部２３は、配信情報が更新される度に、更新後の配信情報を、対応する基地局の移動局宛に配信する。配信方式は、マルチキャスト配信のみならず、ブロードキャスト配信でもよく、プッシュ型、プル型を問わない。
【００２５】
図６は、配信部２３の配信する配信情報２３ａの一例を示す図である。配信部２３は、基地局ＩＤ及びＫＷがＮＷサーバ１０から通知されると、当該ＫＷに対応する配信情報を、対応する基地局宛に配信する。例えば、図６に示すように、基地局Ｂ１宛には、配信情報１として“お歳暮関連ギフト情報”が、配信情報２として“年末年始の海外旅行プラン”がそれぞれ配信される。また、基地局Ｂ２宛には、配信情報１として“カレーに関する周辺の店情報”が、配信情報２として“携帯電話の最新機種情報”がそれぞれ配信される。なお、図６では、基地局毎に異なる配信情報が配信される例を示したが、同じ配信情報が複数の基地局宛に配信されるものとしても勿論よい。また、反対に、同じ基地局に対して、異なる複数の配信情報が所定の時間間隔で配信されるものとしてもよい。
【００２６】
更に、配信部２３は、所定時間（例えば、１０〜３０分程度）が経過する毎に、ＮＷサーバ１０から通知されるＫＷを監視し、ＫＷに変更があった場合に限り、配信情報を配信するものとしてもよい。これにより、ＫＷに変更がない場合には、配信情報が配信されないこととなり、必要最小限の配信により、移動局のユーザへの情報提供が可能となる。その結果、情報配信に伴うリソースが節約される。
【００２７】
図４に戻り、検索部２４は、移動局３０から送信された検索ワードを基に、当該ワードを含むＷｅｂサイト等の情報を検索ＤＢ２５から抽出し、その情報を検索結果として配信部２３に出力する。
【００２８】
移動局３０は、通信部３１を有する。通信部３１は、上述の送信情報を基地局Ｂ１経由でＮＷサーバ１０に送信すると共に、ＭＢＭＳサーバ２０から配信された配信情報を、基地局Ｂ１を介して受信する。
【００２９】
続いて、ＮＷサーバ１０、ＭＢＭＳサーバ２０、及び移動局３０のハードウェア構成を説明する。図７は、ＮＷサーバ１０のハードウェア構成を示す図である。図７に示すように、ＮＷサーバ１０においては、物理的には、ＣＰＵ（Central  Processing  Unit）１０ｂと、ＳＤＲＡＭ（Synchronous  Dynamic  Random  Access  Memory）１０ｃと、ＨＤＤ（Hard  Disk  Drive）１０ｄと、ＮＷ（NetWork）ボード１０ｅとが、スイッチ１０ａを介して各種信号やデータの入出力が可能なように接続されている。ＮＷサーバ１０の受信部１１、通知部１５、送信部１８は、例えば、上記ＮＷボード１０ｅによって実現される。ＫＷリスト保持部１２、ＫＷテーブル保持部１３、検索ＤＢ１７は、例えば、上記ＳＤＲＡＭ１０ｃと、上記ＨＤＤ１０ｄとによって実現される。抽出部１４、検索部１６は、例えば、上記ＣＰＵ１０ｂによって実現される。
【００３０】
図８は、ＭＢＭＳサーバのハードウェア構成を示す図である。図８に示すように、ＭＢＭＳサーバ２０は、物理的には、上述したＮＷサーバ１０と同様の構成を有する。すなわち、ＭＢＭＳサーバ２０においては、ＣＰＵ２０ｂと、ＳＤＲＡＭ２０ｃと、ＨＤＤ２０ｄと、ＮＷボード２０ｅとが、スイッチ２０ａを介して各種信号やデータの入出力が可能なように接続されている。ＭＢＭＳサーバ２０の受信部２１、配信部２３は、例えば、上記ＮＷボード２０ｅによって実現される。配信情報テーブル２２、検索ＤＢ２５は、例えば、上記ＳＤＲＡＭ２０ｃと、上記ＨＤＤ２０ｄとによって実現される。検索部２４は、例えば、上記ＣＰＵ２０ｂによって実現される。
【００３１】
図９は、移動局のハードウェア構成を示す図である。図９に示すように、移動局３０においては、物理的には、ＣＰＵ３０ｂと、ＳＤＲＡＭ３０ｃと、ＦＰＧＡ（Field  Programmable  Gate  Array）３０ｄと、ＤＳＰ（Digital  Signal  Processor）３０ｅと、ＲＦ（Radio  Frequency）回路３０ｆとが、スイッチ３０ａを介して各種信号やデータの入出力が可能なように接続されている。ＲＦ回路３０ｆは、アンテナ３０ｇを有する。移動局３０の通信部３１は、例えば、上記ＲＦ回路３０ｆによって実現される。
【００３２】
次に、本実施例における無線通信システム１の動作を説明する。
【００３３】
図１０は、無線通信システムの動作を説明するための図である。動作説明の前提として、移動局３０、４０は、基地局Ｂ１のエリア内に位置し、移動局７０、８０は、基地局Ｂ２のエリア内に位置するものとする。また、移動局４０、７０、８０は、上述した移動局３０と同様の構成を有するものとする。
【００３４】
まず、Ｓ１では、移動局３０が、メール送信やＷｅｂ検索に伴う送信情報を基地局Ｂ１に送信する。基地局Ｂ１は、送信情報に自基地局のＩＤを付加した後（Ｓ２）、当該送信情報を、ゲートウェイ経由でＮＷサーバ１０宛にパケット送信する（Ｓ３）。ＮＷサーバ１０は、抽出部１４により、Ｓ３で受信された基地局ＩＤ付の送信情報から、ＫＷの抽出を行う（Ｓ４）。上述したＳ１〜Ｓ４の一連の処理は、同じ基地局Ｂ１と接続する他の移動局４０についても、同様に実行される（Ｓ５〜Ｓ８）。
【００３５】
また、Ｓ９では、移動局７０が、メール送信やＷｅｂ検索に伴う送信情報を基地局Ｂ２に送信する。基地局Ｂ２は、送信情報に自基地局のＩＤを付加した後（Ｓ１０）、当該送信情報を、ゲートウェイ経由でＮＷサーバ１０宛にパケット送信する（Ｓ１１）。ＮＷサーバ１０は、抽出部１４により、Ｓ１１で受信された基地局ＩＤ付の送信情報から、ＫＷの抽出を行う（Ｓ１２）。上述したＳ９〜Ｓ１２の一連の処理は、同じ基地局Ｂ２と接続する他の移動局８０についても、同様に実行される（Ｓ１３〜Ｓ１６）。
【００３６】
Ｓ１７では、ＮＷサーバ１０は、Ｓ４、Ｓ８、Ｓ１２、Ｓ１６で抽出されたＫＷの中から、使用頻度の最も高いＫＷを抽出する。ＫＷの抽出は、基地局ＩＤ毎、すなわち、Ｓ４及びＳ８で抽出されたＫＷ群と、Ｓ１２及びＳ１６で抽出されたＫＷ群とについて、個別に行われる。Ｓ１７で抽出されたＫＷは、基地局ＩＤ「Ｂ１」と対応付けられた状態で、ＭＢＭＳサーバ２０に通知される（Ｓ１８）。基地局ＩＤ「Ｂ２」に対応するＫＷについても同様に、ＭＢＭＳサーバ２０に通知される（Ｓ１９）。
【００３７】
ＭＢＭＳサーバ２０は、Ｓ１８、Ｓ１９にて通知されたＫＷを基に、これに対応する配信情報を決定する。この配信情報は、基地局ＩＤ毎に決定され、新しいＫＷの通知に伴って変更される（Ｓ２０）。ＭＢＭＳサーバ２０は、各基地局Ｂ１、Ｂ２宛の配信情報を決定すると、基地局ＩＤ「Ｂ１」に対応する配信情報を基地局Ｂ１宛に送信する（Ｓ２１）。この配信情報は、基地局Ｂ１の移動局３０、４０にマルチキャスト配信される（Ｓ２２、Ｓ２３）。基地局Ｂ２に関しても同様に、ＭＢＭＳサーバ２０は、「Ｂ２」に対応する配信情報を基地局Ｂ２宛に送信する（Ｓ２４）。基地局Ｂ２は、ＭＢＭＳサーバ２０から配信情報を受信すると、移動局７０、８０に向けて当該配信情報をマルチキャストする（Ｓ２５、Ｓ２６）。
【００３８】
次に、移動局３０〜１００のユーザがワード検索を行った場合を例に採り、図１１Ａ及び図１１Ｂを参照しながら、検索が行われてから情報が配信されるまでの過程について説明する。図１１Ａは、無線通信システム１において検索が行われてから配信される情報が決定される迄の過程を説明するための図である。図１１Ａでは、移動局３０〜６０が基地局Ｂ１に接続し、移動局７０〜１００が基地局Ｂ２に接続するものとする。
【００３９】
基地局Ｂ１のセルＣ１に属する移動局３０、４０が所定ワードによる情報検索を行う。同様に、基地局Ｂ１のセルＣ２では、移動局７０、８０がワードによる情報検索を行う。検索に用いられたワード（検索ワード）は、各移動局が接続する基地局へそれぞれ送信される（Ｔ１〜Ｔ４）。
【００４０】
送信された検索ワードは、ゲートウェイを通過し、ＮＷサーバ１０へ送信される（Ｔ５、Ｔ６）。その際、各基地局Ｂ１、Ｂ２に固有のインデックスとして、基地局ＩＤが付与される。ＮＷサーバ１０は、受信された検索ワードに基づき情報の検索を行うが、その際、検索ワードを、付与された基地局ＩＤ毎に管理する。
【００４１】
ＮＷサーバ１０は、Ｔ５、Ｔ６で受信された検索ワードの数を所定時間（例えば、１０分間〜１時間程度）に渡りカウントする。所定時間経過後、ＮＷサーバ１０は、その時点でカウント数が最も多い検索ワードを、使用頻度の高いＫＷ、即ち「多くの移動局に配信すべき優先度の高い情報のＫＷ」とみなし、このＫＷをＭＢＭＳサーバ２０に通知する（Ｔ７、Ｔ８）。
【００４２】
図１１Ｂは、無線通信システム１において決定された情報が配信される迄の過程を説明するための図である。ＭＢＭＳサーバ２０は、Ｔ７、Ｔ８でＮＷサーバ１０から通知されたＫＷを基に、各基地局Ｂ１、Ｂ２の移動局宛に配信すべき情報を基地局ＩＤ毎に決定する（Ｔ９、Ｔ１０）。なお、ＮＷサーバ１０は、検索を要求した移動局３０、４０、７０、８０宛に検索結果を送信する（Ｔ１１、Ｔ１２）。
【００４３】
Ｔ９、Ｔ１０で配信を決定された情報は、ゲートウェイを通過して各基地局Ｂ１、Ｂ２へ配信される（Ｔ１３、Ｔ１４）。各基地局Ｂ１、Ｂ２は、セルに属する各移動局３０〜１００へ情報の配信を行う（Ｔ１５〜Ｔ２２）。情報は、各基地局Ｂ１、Ｂ２において検索を行っていない移動局５０、６０、９０、１００に対しても配信される。したがって、各基地局Ｂ１、Ｂ２のセルに属する全ての移動局のユーザが、時間や場所に合った最新の情報を入手することができる。
【００４４】
無線通信システム１は、ＭＢＭＳサーバ２０から配信される情報を用いて共有チャネル（ＳＣＨ：Shared  CHannel）におけるリソースの削減を行うことができる。図１２Ａは、無線通信システム１において配信される情報が検索される過程を説明するための図である。図１２Ａでは、基地局Ｂ１のセルＣ１に属する移動局３０、４０、５０、６０の内、移動局３０、５０からは同一の情報Ａの検索が要求され、移動局４０からは情報Ｂの検索が要求された場合を想定する（Ｕ１〜Ｕ３）。一方、基地局Ｂ２のセルＣ２に属する移動局７０、８０、９０、１００の内、移動局９０からは情報Ｃの検索が要求され、移動局８０、１００からは同一の情報Ｄの検索が要求された場合を想定する（Ｕ４〜Ｕ６）。
【００４５】
この場合、移動局３０、４０、５０からの各検索要求は、ゲートウェイを経由してＮＷサーバ１０に個別に送信される（Ｕ７）。同様に、移動局８０、９０、１００からの各検索要求は、ゲートウェイを経由してＮＷサーバ１０に個別に送信される（Ｕ８）。その後、同一の情報の検索が要求された移動局については、ＭＢＭＳサーバ２０宛にＫＷが通知される。すなわち、図１２Ａでは、移動局３０と移動局５０とが同一の情報Ａの検索を要求しているため、これらの移動局宛には同一の情報が配信される。したがって、ＮＷサーバ１０は、移動局３０、５０についてのみ、ＭＢＭＳサーバ２０へのＫＷの通知を行う（Ｕ９）。同様に、移動局８０と移動局１００とが同一の情報Ｄの検索を要求しているため、これらの移動局宛には同一の情報が配信される。したがって、ＮＷサーバ１０は、移動局８０、１００についてのみ、ＭＢＭＳサーバ２０へのＫＷの通知を行う（Ｕ１０）。このとき、ＮＷサーバ１０の送信部１８は、ＮＷサーバ１０がＭＢＭＳサーバ２０に通知を行ったＫＷに関する情報の送信を停止する。
【００４６】
図１２Ｂは、無線通信システム１において検索された情報が配信される過程を説明するための図である。ＭＢＭＳサーバ２０は、Ｕ９、Ｕ１０で通知されたＫＷを基に、複数の移動局から検索要求のあった情報Ａ、Ｄに関する配信情報を配信する。すなわち、情報Ａは、複数の移動局３０、５０から検索要求を受けているため、情報Ａに関する配信情報は、ＮＷサーバ１０からは配信されず、ＭＢＭＳサーバ２０から一括して配信される（Ｕ１１）。同様に、情報Ｄは、複数の移動局８０、１００から検索要求を受けているため、情報Ｄに関する配信情報は、ＮＷサーバ１０ではなくＭＢＭＳサーバ２０から纏めて配信される（Ｕ１２）。なお、上述したように、ＮＷサーバ１０は、情報Ａ、Ｄに関して送信を停止していることから、移動局３０、５０、８０、１００に対して同一の情報が重複して送信されることはない。
【００４７】
Ｕ１３では、ＮＷサーバ１０は、情報Ｂに関する検索結果を、情報Ｂの検索を要求した移動局４０宛に個別に送信する。同様に、Ｕ１４では、ＮＷサーバ１０は、情報Ｃに関する検索結果を、情報Ｃの検索を要求した移動局９０宛に個別に送信する。
【００４８】
Ｕ１１でＭＢＭＳサーバ２０から配信された情報（Ａに関する情報）、及びＵ１３でＮＷサーバ１０から送信された情報（Ｂに関する情報）は、ゲートウェイを経由して基地局Ｂ１に送信される（Ｕ１５）。同様に、Ｕ１２でＭＢＭＳサーバ２０から配信された情報（Ｄに関する情報）、及びＵ１３でＮＷサーバ１０から送信された情報（Ｃに関する情報）は、ゲートウェイを経由して基地局Ｂ２に送信される（Ｕ１６）。
【００４９】
その結果、移動局３０、５０は、ＭＢＭＳサーバ２０から配信された、Ａに関する情報を受信し（Ｕ１７、Ｕ１９）、移動局４０は、ＮＷサーバ１０から送信された、Ｂに関する情報を受信する（Ｕ１８）。また、移動局６０は、使用頻度の高いＫＷに対応する、Ａに関する情報を受信する（Ｕ２０）。同様に、移動局８０、１００は、ＭＢＭＳサーバ２０から配信された、Ｄに関する情報を受信し（Ｕ２２、Ｕ２４）、移動局９０は、ＮＷサーバ１０から送信された、Ｃに関する情報を受信する（Ｕ２３）。また、移動局１００は、使用頻度の高いＫＷに対応する、Ｄに関する情報を受信する（Ｕ２１）。これにより、セルＣ１、Ｃ２に所在する何れの移動局のユーザも、所望の情報を入手することができる。
【００５０】
以上説明したように、無線通信システム１は、ＮＷサーバ１０とＭＢＭＳサーバ２０と移動局３０とを有する。ＮＷサーバ１０は、受信部１１と抽出部１４と通知部１５とを有する。受信部１１は、複数の移動局３０、４０、５０、６０から基地局Ｂ１を介して送信される送信情報を、基地局Ｂ１のＩＤと共に受信する。抽出部１４は、送信情報と上記ＩＤとに基づき、複数の移動局において使用頻度の高いＫＷを基地局毎に抽出する。通知部１５は、抽出部１４により抽出されたＫＷを、対応する基地局のＩＤと共に、ＭＢＭＳサーバ２０に通知する。ＭＢＭＳサーバ２０は、受信部２１と配信部２３とを有する。受信部２１は、通知部１５により通知されたＫＷを、対応する基地局のＩＤと共に、ＮＷサーバ１０から受信する。配信部２３は、ＫＷに応じた配信情報を、上記ＩＤを有する基地局を介して、複数の移動局３０、４０、５０、６０に配信する。移動局３０は通信部３１を有する。通信部３１は、ＭＢＭＳサーバ２０から配信された配信情報を、基地局Ｂ１を介して受信する。
【００５１】
配信される情報が有益であるか否かの判断に際しては、その情報が地域特有の情報であるかが重要な要素となる。情報を配信する側が、ユーザにとって有益な情報を予想して、配信情報を決定することは可能ではあるが、移動局ユーザのように、現在地が時々刻々と変化する環境においては、情報を提供する側が、受け手の需要を正確に把握することは困難である。上述した無線通信システム１によれば、ＭＢＭＳサーバ２０は、ＮＷサーバ１０から通知されたＫＷに依存して、基地局毎に異なる配信情報を決定することにより、月日や日時、場所に合わせて自律的に配信情報を変更することができる。つまり、無線通信システム１は、基地局毎に異なり、かつ、動的に変化する配信情報をマルチキャスト配信する。したがって、移動局ユーザと関連性の高い情報の提供が可能となる。
【００５２】
また、移動局が、複数の配信情報を受信し、その中からＫＷに合致する配信情報のみをユーザに報知する技術と比較して、移動局の処理負荷は低減される。更に、かかる技術では、移動局が受信した配信情報の中にユーザに合った情報が含まれない場合には、ユーザは、所望する情報の享受は行えないが、無線通信システム１では、配信側が自律的に配信情報を決定するため、このような懸念は解消される。また、無線通信システム１では、配信側が決定した配信情報のみが配信されるため、移動局側で配信情報の選択を行う場合と比較して、移動局当りのリソース使用量が節減される。その結果、限られたリソースを用いて、より多くのユーザに有益な情報を配信することができる。
【００５３】
上記送信情報は、検索ワード、Ｗｅｂサイト、メール、通話情報の内、少なくとも１つに含まれる情報である。これらの送信情報の内容には、移動局のユーザの置かれた環境や嗜好、属性が反映されるため、ＮＷサーバ１０は、これらの送信情報の中から使用頻度の高いＫＷを抽出するものとすれば、移動局のユーザのニーズに合った配信情報の決定及び配信が可能となる。
【００５４】
無線通信システム１において、ＭＢＭＳサーバ２０の配信部２３は、配信時または配信場所によって異なる配信情報を配信する。同一のＫＷに対応する配信情報でも、その配信情報が配信される季節や時間帯、あるいは、配信される場所によって、ユーザの欲する配信情報が異なる場合がある。そこで、無線通信システム１では、ＭＢＭＳサーバ２０は、ＫＷのみならず、配信情報の配信時や配信場所を勘案して、配信情報を決定するものとしてもよい。これにより、夏場にお歳暮関連の情報が配信される、あるいは、キャンプ場のある山林付近で店舗情報が配信されるといった、ユーザニーズと配信情報とのミスマッチが防止される。その結果、ユーザにとってより必要性の高い情報の提供が可能となる。また、配信部２３は、配信情報の決定に際し、配信時、配信場所の情報を択一的に用いるのではなく、これらを組み合わせて配信情報を決定するものとしてもよい。これにより、日時と場所の双方を考慮に入れた、よりユーザの状況に合った情報の提供が可能となる。
【００５５】
無線通信システム１において、ＮＷサーバ１０は、ＮＷサーバ１０が送信する情報とＭＢＭＳサーバ２０が配信する配信情報とが同一である場合、その情報の送信を停止する。その情報は、ＭＢＭＳサーバ２０の配信部２３により、複数の移動局３０、４０、５０、６０宛にマルチキャスト配信される。すなわち、ＮＷサーバ１０は、移動局３０、４０、５０、６０宛に情報を送信すると共に、複数の移動局３０、５０が同一の情報の送信を要求する場合、当該同一の情報の送信を停止する送信部１８を更に有する。ＭＢＭＳサーバ２０の配信部２３は、ＮＷサーバ１０に代わり、上記同一の情報を複数の移動局３０、５０宛に配信する。例えば、移動局３０、５０がＮＷサーバ１０にＫＷ検索を要求した場合、ＮＷサーバ１０から移動局３０、５０に送信される検索結果の情報と、ＭＢＭＳサーバ２０から移動局３０、５０に配信される配信情報とが、同じ情報となる場合がある。この場合には、ＮＷサーバ１０が、移動局３０、５０に対して個別に情報の送信を行うよりも、ＭＢＭＳサーバ２０が、移動局３０、５０に対して纏めてマルチキャスト配信を行う方が、共有チャネルリソースを節約する観点から効率的である。そこで、無線通信システム１では、ＮＷサーバ１０とＭＢＭＳサーバ２０とが送信する情報が同じ場合には、ＮＷサーバ１０ではその情報の送信は行わず、ＭＢＭＳサーバ２０が一括してその情報を配信するものとしてもよい。すなわち、ＮＷサーバ１０は、ＭＢＭＳサーバ２０からの配信情報を用いることで、移動局３０、５０に対して、共有チャネルによるリソースを個別に割り当てなくとも、各移動局に対して、同一の情報を送信することができる。したがって、ＭＢＭＳサーバ２０を用いない場合と比較して、情報の送信に使用されるリソースが削減されるので、より多くのユーザに対する情報の配信が可能となる。
【００５６】
無線通信システム１において、移動局３０の通信部３１は、送信情報を、基地局Ｂ１を介してＮＷサーバ１０に送信すると共に、ＭＢＭＳサーバ２０から配信された配信情報を、基地局Ｂ１を介して受信する。すなわち、移動局３０は、ＭＢＭＳサーバ２０がＫＷに基づいて決定した配信情報を受信して表示するため、配信情報の選択といった処理を自ら行わなくてよい。したがって、移動局３０は、上記処理に伴う負荷を発生させることなく、ニーズに合った情報をユーザに提供することができる。
【００５７】
以下、上述した無線通信システム１の適用例について、効果と併せて説明する。
【００５８】
まず、無線通信システム１をテーマパークに適用した例を説明する。本適用例では、来場者が、アトラクションの待ち時間やテーマパーク内のイベント開始時間について、情報検索を行った場合を想定する。この場合、無線通信システム１は、来場者から得られる送信情報（検索ＫＷ数、閲覧ページ数など）に基づき、多数のアトラクションやイベントの中から、その日又はその時間帯において注目されるアトラクションやイベントに関する情報を優先して配信する。したがって、来場者は、状況に合った有益な情報を、リアルタイムかつ効率的に得ることができる。
【００５９】
次に、無線通信システム１を観光地に適用した例を説明する。本適用例では、観光地を訪れた旅行者が、旅行先の周辺情報について検索を行った場合を想定する。この場合、無線通信システム１は、旅行者から得られる送信情報に基づき、多数の観光地や観光名所の中から、訪問者の多い人気スポットに関する情報を優先して配信する。人気の観光地や観光名所は以前から長期的に検索が行われていると考えられることから、旅行者は、周辺の地域名やＫＷを入力することなく、所望の情報を容易に入手することができる。また、このとき得られる情報は、情報を提供する側が意図した情報ではなく、体験者（他の旅行者）から得られた情報を基にしたものであることから、通常のＷｅｂ検索等で得られる情報よりも旅行者の需要に合った内容の情報である可能性が高い。
【００６０】
次に、無線通信システム１を街頭イベントに適用した例を説明する。本適用例では、市街地において無告知ライブや臨時の街頭演説があり、通行人がその光景を遠巻きに見た場合を想定する。この場合、無線通信システム１は、視聴者から得られる送信情報に基づき、ライブのアーティストや演説者に関する情報を優先して配信する。すなわち、市街地でライブや演説があると、その周辺において、関連する人物や団体に関する情報の閲覧や授受が急激に増加する。その結果、通行人の移動局宛にも、上記情報がマルチキャスト配信されることになる。これにより、通行人は、ライブや演説を直接見ることができない場合であっても、イベントの状況（出演者、場所、内容、終了時間など）について簡易迅速に知ることができる。
【００６１】
次に、無線通信システム１を海外イベントに適用した例を説明する。本適用例では、国外で開催されているオリンピック等、直接見ることのできない大型イベントを想定する。このようなイベントでは、人気の高い競技についてはＷｅｂ等から容易に情報が得られる一方、認知度の低い競技についての情報を得ることは困難である。しかしながら、認知度の低い競技であっても、地元出身の選手が出場する等の理由から、特定の地域では注目度が高くなる場合もある。このような場合にも無線通信システム１は好適である。無線通信システム１は、全国的な注目度が低く関連情報が容易に得られない場合であっても、特定の地域のみから得られる送信情報に基づき、その地域で需要が高いと推測される情報を優先して配信する。これにより、その地域の住民は、全国的な注目度に拘らず、自らのニーズに合った情報を容易に得ることができる。また、基地局のエリアに属する限り、その地域の全ての移動局に対して関連情報がマルチキャスト配信されるため、注目度が低いが故に知る機会のなかった競技や選手の認知度が向上するというメリットもある。
【００６２】
なお、上述の実施例では、無線通信システム１は、ＫＷの使用頻度のカウント及びこれに基づく配信情報の決定を、基地局単位で行うものとした。しかしながら、これに限らず、無線通信システム１は、上記カウント及び決定を、複数の基地局単位で行うものとしてもよい。すなわち、ＮＷサーバ１０の抽出部１４は、受信部１１が複数の基地局から収集した送信情報に含まれるＫＷを纏めてカウントする。通知部１５は、カウントの結果、最も使用頻度の高いＫＷを、複数の基地局のＩＤと共にＭＢＭＳサーバ２０に通知する。ＭＢＭＳサーバ２０の受信部２１がＫＷ及び複数の基地局ＩＤを受信すると、配信部２３は、ＮＷサーバ１０から通知されたＫＷに対応する配信情報を、複数の基地局の移動局宛に配信する。これにより、無線通信システム１は、複数の基地局に接続する移動局のＫＷを纏めて管理することができる。特に、基地局に接続する移動局が少ない時には、抽出されるＫＷの信頼性が懸念されるが、上述したように、無線通信システム１が、複数の基地局を対象としてＫＷの抽出を行うことで、母集団が増加し、ＫＷの信頼性が向上する。その結果、ＫＷを基に配信される情報のユーザ適合性も向上する。
【００６３】
また、上述の実施例では、無線通信システム１は、使用頻度の高いＫＷに対応する配信情報を、そのＫＷを提供した基地局の移動局に対してのみ配信するものとした。しかしながら、これに限らず、無線通信システム１は、使用頻度が有意に高い等、所定の条件を満たす場合には、周辺の基地局の移動局に対しても配信情報を配信するものとしてもよい。すなわち、ＮＷサーバ１０の抽出部１４は、ＫＷリスト１２ａ上に存在するＫＷの使用回数を基地局ＩＤ毎に所定時間カウントするが、最も使用頻度の高いＫＷの使用頻度が有意に高い場合（例えば、２位の２倍〜３倍以上）、その旨を通知部１５に通知する。通知部１５は、ＫＷ及び基地局ＩＤと併せて、当該ＫＷの使用頻度が有意に高い事を、ＭＢＭＳサーバ２０に通知する。ＭＢＭＳサーバ２０の受信部２１が当該通知を受けると、配信部２３は、使用頻度の特に高いＫＷに対応する配信情報を、通知された基地局ＩＤの基地局のみならず、その周辺の基地局に対しても配信する。使用頻度が有意に高いＫＷの配信情報は、ユーザからの需要や重要性が高いことが推定されることから、他の基地局に接続する移動局に対しても配信されることが望ましい。そこで、無線通信システム１は、このような配信情報を周辺の基地局にも配信することで、より多くのユーザに対して、有用な情報を提供することができる。なお、無線通信システム１は、有用性の高いと思われる情報を、周辺基地局に配信するものとしたが、特定の基地局に繰り返し配信するものとしてもよい。また、ＭＢＭＳサーバ２０の配信部２３は、ＫＷの使用頻度に応じて、配信エリアだけでなく、配信回数や配信間隔を変更するものとしてもよい。
【００６４】
なお、上述及び図示した各構成部は、機能上の概念的なものであり、物理的には、必ずしも上述及び図示のように構成されている必要はない。例えば、ＮＷサーバ１０において、ＫＷリスト保持部１２とＫＷテーブル保持部１３とは、統合されてもよいし、ＭＢＭＳサーバ２０において、受信部２１と配信部２３とは、統合されてもよい。また、上記実施例では、ＮＷサーバ１０とＭＢＭＳサーバ２０とは、別体の装置により構成されるものとしたが、これらのサーバの機能を一体化して１つの装置にもたせてもよい。
【符号の説明】
【００６５】
１  無線通信システム
１０  ＮＷサーバ
１０ａ、２０ａ、３０ａ  スイッチ
１０ｂ、２０ｂ、３０ｂ  ＣＰＵ
１０ｃ、２０ｃ、３０ｃ  ＳＤＲＡＭ
１０ｄ、２０ｄ  ＨＤＤ
１０ｅ、２０ｅ  ＮＷボード
１１  受信部
１２  ＫＷリスト保持部
１２ａ  ＫＷリスト
１３  ＫＷテーブル保持部
１３ａ  ＫＷテーブル
１４  抽出部
１５  通知部
１６  検索部
１７  検索ＤＢ
１８  送信部
２０  ＭＢＭＳサーバ
２１  受信部
２２  配信情報テーブル保持部
２２ａ  配信情報テーブル
２３  配信部
２３ａ  配信情報
２４  検索部
２５  検索ＤＢ
３０、４０、５０、６０、７０、８０、９０、１００  移動局
３０ｄ  ＦＰＧＡ
３０ｅ  ＤＳＰ
３０ｆ  ＲＦ回路
３０ｇ  アンテナ
３１  通信部
Ｂ１，Ｂ２  基地局
Ｃ１，Ｃ２  セル
【図１】
2012165176.tif 000003
【図２】
2012165176.tif 000004
【図３】
2012165176.tif 000005
【図４】
2012165176.tif 000006
【図５Ａ】
2012165176.tif 000007
【図５Ｂ】
2012165176.tif 000008
【図６】
2012165176.tif 000009
【図７】
2012165176.tif 000010
【図８】
2012165176.tif 000011
【図９】
2012165176.tif 000012
【図１０】
2012165176.tif 000013
【図１１Ａ】
2012165176.tif 000014
【図１１Ｂ】
2012165176.tif 000015
【図１２Ａ】
2012165176.tif 000016
【図１２Ｂ】
2012165176.tif 000017